(57)【特許請求の範囲】
【請求項１】
画像データを入力し、複数ページの画像を形成する画像処理装置であって、
前記複数ページのうちの少なくとも一部のページを選択するページ選択手段と、
前記ページ選択手段によって選択されたページの画像を重ねて形成される多重画像を表示する画像表示手段と、
前記多重画像の加工範囲を表示する加工範囲表示手段と、
前記加工範囲を変更する加工範囲変更手段と、
前記多重画像に含まれる画像を前記加工範囲を基準にして同時に加工する画像加工手段と、
前記画像加工手段によって加工された各画像を個々に出力する画像出力手段と、
を備えたことを特徴とする画像処理装置。
【請求項２】
前記画像加工手段による加工は、前記選択されたページの各画像における加工範囲にある画像を削除する削除処理であることを特徴とする請求項１に記載の画像処理装置。
【請求項３】
前記画像加工手段による加工は、前記選択された各ページにおいて前記加工範囲の外部にある各画像を削除する削除処理であることを特徴とする請求項１または２に記載の画像処理装置。
【請求項４】
前記加工範囲表示手段が、前記多重画像を通る二本の平行な直線に囲まれた領域を加工範囲として表示し、前記加工範囲変更手段が前記二本の直線間の距離を変更すると共に、前記画像加工手段が前記選択されたページの各画像における加工範囲にある画像を削除することを特徴とする請求項１〜３のいずれか一つに記載の画像処理装置。
【請求項５】
前記画像加工手段による加工は、前記加工範囲内に文字を挿入する文字挿入処理であることを特徴とする請求項１〜４のいずれか一つに記載の画像処理装置。
【請求項６】
前記画像加工手段による加工は、前記加工範囲内に画像を挿入する画像挿入処理であることを特徴とする請求項１〜４のいずれか一つに記載の画像処理装置。
【請求項７】
前記加工範囲に挿入される画像が予め登録される挿入画像登録手段を備えることを特徴とする請求項６に記載の画像処理装置。
【請求項８】
前記画像加工手段による加工は、前記多重画像において前記加工範囲内にある画像の位置を調整する位置調整処理であることを特徴とする請求項１〜７のいずれか一つに記載の画像処理装置。
【請求項９】
画像データを入力し、複数ページの画像を形成する画像処理方法であって、
前記複数ページのうちの少なくとも一部のページを選択するページ選択工程と、
前記ページ選択工程において選択されたページの画像を重ねて形成される多重画像を表示する画像表示工程と、
前記多重画像の加工範囲を表示する加工範囲表示工程と、
前記加工範囲を変更する加工範囲変更工程と、
前記多重画像に含まれる画像を前記加工範囲を基準にして同時に加工する画像加工工程と、
前記画像加工工程において加工された各画像を個々に出力する画像出力工程と、
を含むことを特徴とする画像処理方法。
【請求項１０】
前記画像加工工程における加工は、前記選択されたページの各画像における加工範囲にある画像を削除する削除処理であることを特徴とする請求項１０に記載の画像処理方法。
【請求項１１】
前記画像加工工程における加工は、前記選択された各ページにおいて前記加工範囲の外部にある各画像を削除する削除処理であることを特徴とする請求項１０または１１に記載の画像処理方法。
【請求項１２】
前記加工範囲が、前記多重画像を通る二本の平行な直線に囲まれた領域であり、前記加工範囲変更工程において前記二本の直線間の距離が変更されると共に、前記画像加工工程において前記選択されたページの各画像における加工範囲にある画像を削除することを特徴とする請求項９〜１１のいずれか一つに記載の画像処理方法。
【請求項１３】
前記画像加工工程における加工は、前記加工範囲内に文字を挿入する文字挿入処理であることを特徴とする請求項９〜１２のいずれか一つに記載の画像処理方法。
【請求項１４】
前記画像加工工程における加工は、前記加工範囲内に画像を挿入する画像挿入処理であることを特徴とする請求項９〜１３のいずれか一つに記載の画像処理方法。
【請求項１５】
前記画像挿入処理において挿入される画像を、予め登録しておく画像登録工程をさらに含むことを特徴とする請求項１４に記載の画像処理方法。
【請求項１６】
前記画像加工工程における加工は、前記多重画像において前記加工範囲内にある画像の位置を調整する位置調整処理であることを特徴とする請求項９〜１５のいずれか一つに記載の画像処理方法。
【請求項１７】
画像データを入力し、複数ページの画像を形成する画像処理方法をコンピュータに実行させるプログラムを記録したコンピュータ読み取り可能な記録媒体であって、
前記複数ページのうちの少なくとも一部のページを選択させるページ選択工程と、
前記ページ選択工程において選択されたページの画像を重ねて形成される多重画像を表示させる画像表示工程と、
前記多重画像の加工範囲を表示させる加工範囲表示工程と、
前記加工範囲を変更させる加工範囲変更工程と、
前記多重画像に含まれる画像を前記加工範囲を基準にして同時に加工させる画像加工工程と、
前記画像加工工程において加工された各画像を個々に出力させる画像出力工程と、
を含む方法をコンピュータに実行させるプログラムを記録したことを特徴とするコンピュータ読み取り可能な記録媒体。
【請求項１８】
前記画像加工工程における加工は、前記選択されたページの各画像における加工範囲にある画像を削除させる削除処理であることを特徴とする請求項１９に記載のコンピュータ読み取り可能な記録媒体。
【請求項１９】
前記画像加工工程における加工は、前記選択された各ページにおいて前記加工範囲の外部にある各画像を削除させる削除処理であることを特徴とする請求項１９または２０に記載のコンピュータ読み取り可能な記録媒体。
【請求項２０】
前記加工範囲が、前記多重画像を通る二本の平行な直線に囲まれた領域であり、前記加工範囲変更工程において前記二本の直線間の距離が変更されると共に、前記画像加工工程において前記選択されたページの各画像における加工範囲にある画像を削除させることを特徴とする請求項１７〜１９のいずれか一つに記載のコンピュータ読み取り可能な記録媒体。
【請求項２１】
前記画像加工工程における加工は、前記加工範囲内に文字を挿入させる文字挿入処理であることを特徴とする請求項１７〜２０のいずれか一つに記載のコンピュータ読み取り可能な記録媒体。
【請求項２２】
前記画像加工工程における加工は、前記加工範囲内に画像を挿入させる画像挿入処理であることを特徴とする請求項１７〜２１のいずれか一つに記載のコンピュータ読み取り可能な記録媒体。
【請求項２３】
前記画像挿入処理において挿入される画像を、予め登録させる画像登録工程をさらに含むことを特徴とする請求項２２に記載のコンピュータ読み取り可能な記録媒体。
【請求項２４】
前記画像加工工程における加工は、前記多重画像において前記加工範囲内にある画像の位置を調整させる位置調整処理であることを特徴とする請求項１７〜２３のいずれか一つに記載のコンピュータ読み取り可能な記録媒体。
【発明の詳細な説明】
【０００１】
【発明の属する技術分野】
本発明は、画像処理装置、画像処理方法およびその方法をコンピュータに実行させるプログラムを記録したコンピュータ読み取り可能な記録媒体に関する。
【０００２】
【従来の技術】
現在、コピー装置やプリンタといった画像処理装置には、データ上で画像を加工することができるものがある。画像をデータ上で加工できる装置としては、例えば、特開平１１−１２２４７７号公報に記載された画像形成装置がある。この画像形成装置は、原稿の画像を読み取って作成されたデータ（画像データ）のうちの一部の範囲を指定して削除するもので、範囲の指定は、例えば削除範囲の幅を入力することによって行う。特開平１１−１２２４７７号公報に記載された画像形成装置は、指定された範囲にスケールを付して表示し、オペレータが表示された画像を見ながら削除したい範囲を決定することができる。
【０００３】
【発明が解決しようとする課題】
しかしながら、近年、コピー等の画像処理は、用紙上に形成された画像ばかりでなく、データ化された状態の画像（電子原稿）に対して行われることも多い。原稿の電子化に伴って、画像処理には、より大量の画像データを短時間で、かつ効率的に処理することが要求されている。
【０００４】
ところで、大量の画像データは、多くの場合、複数の用紙を含む原稿束として、あるいは複数の画面で構成される電子原稿束として出力される。本明細書中では、複数の各用紙の片面、あるいは各画面の各々をページというものとする。上記した従来の画像形成装置を用いて複数ページにわたる原稿束を加工する場合、各ページを表示し、表示されたページの各々について削除される範囲を指定することが必要となる。このため、従来の画像形成装置を用いた画像の加工は、画像データの増加に伴って作業量が増加し、オペレータにかかる負荷を大きくするものとなる。
【０００５】
本発明は上述の問題点を解決するために成されたものであり、原稿束に含まれるページ数によらず、短時間で画像を加工でき、処理の効率を高めることができる画像処理装置、画像処理方法およびその方法をコンピュータに実行させるプログラムを記録したコンピュータ読み取り可能な記録媒体を提供することを目的とする。
【０００６】
【課題を解決するための手段】
上記した課題を解決し、目的を達成するため、請求項１に記載の発明にかかる画像処理装置は、画像データを入力し、複数ページの画像を形成する画像処理装置であって、前記複数ページのうちの少なくとも一部のページを選択するページ選択手段と、前記ページ選択手段によって選択されたページの画像を重ねて形成される多重画像を表示する画像表示手段と、前記多重画像の加工範囲を表示する加工範囲表示手段と、前記加工範囲を変更する加工範囲変更手段と、前記多重画像に含まれる画像を前記加工範囲を基準にして同時に加工する画像加工手段と、前記画像加工手段によって加工された各画像を個々に出力する画像出力手段と、を備えたことを特徴とする。
【０００７】
この請求項１に記載の発明によれば、選択したページの画像を重ねた多重画像を表示し、多重画像に含まれる各画像における加工範囲を同時に加工することができる。
【０００８】
請求項２に記載の発明にかかる画像処理装置は、前記画像加工手段による加工が、前記選択されたページの各画像における加工範囲にある画像を削除する削除処理であることを特徴とする。
【０００９】
この請求項２に記載の発明によれば、選択したページの画像を重ねた多重画像を表示し、多重画像に含まれる各画像において加工範囲内にある画像を同時に削除することができる。
【００１０】
請求項３に記載の発明にかかる画像処理装置は、前記画像加工手段による加工が、前記選択された各ページにおいて前記加工範囲の外部にある各画像を削除する削除処理であることを特徴とする。
【００１１】
この請求項３に記載の発明によれば、選択したページの画像を重ねた多重画像を表示し、多重画像に含まれる各画像において加工範囲の外部の画像を同時に削除することができる。
【００１２】
請求項４に記載の発明にかかる画像処理装置は、前記加工範囲表示手段が、前記多重画像を通る二本の平行な直線に囲まれた領域を加工範囲として表示し、前記加工範囲変更手段が前記二本の直線間の距離を変更すると共に、前記画像加工手段が前記選択されたページの各画像における加工範囲にある画像を削除することを特徴とする。
【００１３】
この請求項４に記載の発明によれば、選択したページの画像を重ねた多重画像を表示し、多重画像を通る二本の平行な直線に囲まれた領域を加工範囲とし、多重画像に含まれる各画像における加工範囲の内部の画像を同時に削除することができる。また、二本の直線間の距離を変更することができる。
【００１４】
請求項５に記載の発明にかかる画像処理装置は、前記画像加工手段による加工が、前記加工範囲内に文字を挿入する文字挿入処理であることを特徴とする。
【００１５】
この請求項５に記載の発明によれば、選択したページの画像を重ねた多重画像を表示し、多重画像に含まれる各画像の加工範囲に文字を同時に挿入することができる。
【００１６】
請求項６に記載の発明にかかる画像処理装置は、前記画像加工手段による加工が、前記加工範囲内に画像を挿入する画像挿入処理であることを特徴とする。
【００１７】
この請求項６に記載の発明によれば、選択したページの画像を重ねた多重画像を表示し、多重画像に含まれる各画像の加工範囲に画像を同時に挿入することができる。
【００１８】
請求項７に記載の発明にかかる画像処理装置は、前記加工範囲に挿入される画像が予め登録される挿入画像登録手段を備えることを特徴とする。
【００１９】
この請求項７に記載の発明によれば、予め登録されている画像を加工範囲に挿入することができる。
【００２０】
請求項８に記載の発明にかかる画像処理装置は、前記画像加工手段による加工が、前記多重画像において前記加工範囲内にある画像の位置を調整する位置調整処理であることを特徴とする。
【００２１】
この請求項８に記載の発明によれば、選択したページの画像を重ねた多重画像を表示し、多重画像に含まれる各画像の加工範囲にある画像を同時に位置調整することができる。
【００２４】
請求項９に記載の発明にかかる画像処理方法は、画像データを入力し、複数ページの画像を形成する画像処理方法であって、前記複数ページのうちの少なくとも一部のページを選択するページ選択工程と、前記ページ選択工程において選択されたページの画像を重ねて形成される多重画像を表示する画像表示工程と、前記多重画像の加工範囲を表示する加工範囲表示工程と、前記加工範囲を変更する加工範囲変更工程と、前記多重画像に含まれる画像を前記加工範囲を基準にして同時に加工する画像加工工程と、前記画像加工工程において加工された各画像を個々に出力する画像出力工程と、を含むことを特徴とする。
【００２５】
この請求項９に記載の発明によれば、選択したページの画像を重ねた多重画像を表示し、多重画像に含まれる各画像における加工範囲を同時に加工することができる。
【００２６】
請求項１０に記載の発明にかかる画像処理方法は、前記画像加工工程における加工が、前記選択されたページの各画像における加工範囲にある画像を削除する削除処理であることを特徴とする。
【００２７】
この請求項１０に記載の発明によれば、選択したページの画像を重ねた多重画像を表示し、多重画像に含まれる各画像において加工範囲内にある画像を同時に削除することができる。
【００２８】
請求項１１に記載の発明にかかる画像処理方法は、前記選択された各ページにおいて前記加工範囲の外部にある各画像を削除する削除処理であることを特徴とする。
【００２９】
この請求項１１に記載の発明によれば、選択したページの画像を重ねた多重画像を表示し、多重画像に含まれる各画像において加工範囲の外部の画像を同時に削除することができる。
【００３０】
請求項１２に記載の発明にかかる画像処理方法は、前記加工範囲が、前記多重画像を通る二本の平行な直線に囲まれた領域であり、前記加工範囲変更工程において前記二本の直線間の距離が変更されると共に、前記画像加工工程において前記選択されたページの各画像における加工範囲にある画像を削除することを特徴とする。
【００３１】
この請求項１２に記載の発明によれば、選択したページの画像を重ねた多重画像を表示し、多重画像を通る二本の平行な直線に囲まれた領域を加工範囲とし、多重画像に含まれる各画像における加工範囲の内部の画像を同時に削除することができる。また、二本の直線間の距離を変更することができる。
【００３２】
請求項１３に記載の発明にかかる画像処理方法は、前記画像加工工程における加工が、前記加工範囲内に文字を挿入する文字挿入処理であることを特徴とする。
【００３３】
この請求項１３に記載の発明によれば、選択したページの画像を重ねた多重画像を表示し、多重画像に含まれる各画像の加工範囲に文字を同時に挿入することができる。
【００３４】
請求項１４に記載の発明にかかる画像処理方法は、前記画像加工工程における加工が、前記加工範囲内に画像を挿入する画像挿入処理であることを特徴とする。
【００３５】
この請求項１４に記載の発明によれば、選択したページの画像を重ねた多重画像を表示し、多重画像に含まれる各画像の加工範囲に画像を同時に挿入することができる。
【００３６】
請求項１５に記載の発明にかかる画像処理方法は、前記画像挿入処理において挿入される画像を、予め登録しておく画像登録工程をさらに含むことを特徴とする。
【００３７】
この請求項１５に記載の発明によれば、予め登録されている画像を加工範囲に挿入することができる。
【００３８】
請求項１６に記載の発明にかかる画像処理方法は、前記画像加工工程における加工が、前記多重画像において前記加工範囲内にある画像の位置を調整する位置調整処理であることを特徴とする。
【００３９】
この請求項１６に記載の発明によれば、選択したページの画像を重ねた多重画像を表示し、多重画像に含まれる各画像の加工範囲にある画像を同時に位置調整することができる。
【００４２】
請求項１７に記載の発明にかかるコンピュータ読み取り可能な記録媒体は、画像データを入力し、複数ページの画像を形成する画像処理方法をコンピュータに実行させるプログラムを記録したコンピュータ読み取り可能な記録媒体であって、前記複数ページのうちの少なくとも一部のページを選択させるページ選択工程と、前記ページ選択工程において選択されたページの画像を重ねて形成される多重画像を表示させる画像表示工程と、前記多重画像の加工範囲を表示させる加工範囲表示工程と、前記加工範囲を変更させる加工範囲変更工程と、前記多重画像に含まれる画像を前記加工範囲を基準にして同時に加工させる画像加工工程と、前記画像加工工程において加工された各画像を個々に出力させる画像出力工程と、を含む方法をコンピュータに実行させるプログラムを記録したことを特徴とする。
【００４３】
この請求項１７に記載の発明によれば、選択したページの画像を重ねた多重画像を表示させ、多重画像に含まれる各画像における加工範囲を同時に加工させることができる。
【００４４】
請求項１８に記載の発明にかかるコンピュータ読み取り可能な記録媒体は、前記画像加工工程における加工が、前記選択されたページの各画像における加工範囲にある画像を削除させる削除処理であることを特徴とする。
【００４５】
この請求項１８に記載の発明によれば、選択したページの画像を重ねた多重画像を表示させ、多重画像に含まれる各画像において加工範囲内にある画像を同時に削除させることができる。
【００４６】
請求項１９に記載の発明にかかるコンピュータ読み取り可能な記録媒体は、前記画像加工工程における加工が、前記選択された各ページにおいて前記加工範囲の外部にある各画像を削除させる削除処理であることを特徴とする。
【００４７】
この請求項１９に記載の発明によれば、選択したページの画像を重ねた多重画像を表示させ、多重画像に含まれる各画像において加工範囲の外部の画像を同時に削除させることができる。
【００４８】
請求項２０に記載の発明にかかるコンピュータ読み取り可能な記録媒体は、前記加工範囲が、前記多重画像を通る二本の平行な直線に囲まれた領域であり、前記加工範囲変更工程において前記二本の直線間の距離が変更されると共に、前記画像加工工程において前記選択されたページの各画像における加工範囲にある画像を削除させることを特徴とする。
【００４９】
この請求項２０に記載の発明によれば、選択したページの画像を重ねた多重画像を表示させ、多重画像を通る二本の平行な直線に囲まれた領域を加工範囲とし、多重画像に含まれる各画像における加工範囲の内部の画像を同時に削除することができる。また、二本の直線間の距離を変更することができる。
【００５０】
請求項２１に記載の発明にかかるコンピュータ読み取り可能な記録媒体は、前記画像加工工程における加工が、前記加工範囲内に文字を挿入させる文字挿入処理であることを特徴とする。
【００５１】
この請求項２１に記載の発明によれば、選択したページの画像を重ねた多重画像を表示させ、多重画像に含まれる各画像の加工範囲に文字を同時に挿入させることができる。
【００５２】
請求項２２に記載の発明にかかるコンピュータ読み取り可能な記録媒体は、前記画像加工工程における加工が、前記加工範囲内に画像を挿入させる画像挿入処理であることを特徴とする。
【００５３】
この請求項２２に記載の発明によれば、選択したページの画像を重ねた多重画像を表示させ、多重画像に含まれる各画像の加工範囲に画像を同時に挿入させることができる。
【００５４】
請求項２３に記載の発明にかかるコンピュータ読み取り可能な記録媒体は、前記画像挿入処理において挿入される画像を、予め登録させる画像登録工程をさらに含むことを特徴とする。
【００５５】
この請求項２３に記載の発明によれば、予め登録されている画像を加工範囲に挿入することができる。
【００５６】
請求項２４に記載の発明にかかるコンピュータ読み取り可能な記録媒体は、前記画像加工工程における加工が、前記多重画像において前記加工範囲内にある画像の位置を調整させる位置調整処理であることを特徴とする。
【００５７】
この請求項２４に記載の発明によれば、選択したページの画像を重ねた多重画像を表示させ、多重画像に含まれる各画像の加工範囲にある画像を同時に位置調整させることができる。
【００６０】
【発明の実施の形態】
以下に添付図面を参照して、この発明にかかる実施の形態１〜４について説明する。
（実施の形態１）
図１は、実施の形態１の画像処理装置を含むシステムを説明するための図である。また、図２は、図１に示したシステムにおいて、画像処理装置として機能する構成について説明するための図である。図１のシステムは、用紙に形成された画像（紙原稿）１０２を読み取って画像データを生成するスキャナ１０４、スキャナ１０４で生成された画像データ、またはフロッピーディスクやＣＤ（Compact Disc）といった媒体にデータとして記録された画像（電子画像）１０３の画像データが入力されるパーソナルコンピュータ（以下、パソコンと記す）１０５と、パソコン１０５とネットワーク１０７によって接続されるプリンタ１０６とを備えている。パソコン１０５は、ディスプレイ１０５ａ、キーボード１０５ｂを備えている。また、以下、本明細書では、紙原稿１０２、電子原稿１０３の両方を原稿１０１と記すものとする。
【００６１】
パソコン１０５は、本実施の形態の画像処理装置として機能する構成である。実施の形態１の画像処理は、パソコン１０５で行われる画像処理を統括的に制御する画像処理部２００の一部として構成されている。そして、図２に示したように、ページコントローラ２０２と、ページ画像生成部２０１と、ディスプレイ１０５ａと、キーボード１０５ｂとを備えている。ページコントローラ２０２は、ページ画像生成部２０１、ディスプレイ１０５ａ、キーボード１０５ｂの全てを制御する構成である。また、画像処理部２００は、メモリ２０３を備えている。メモリ２０３は、本実施の形態において、後述するように、オペレータが予め画像を登録する手段として機能する。
【００６２】
パソコン１０５は、画像データを入力し、複数ページの画像を形成する。形成された画像は、プリンタ１０６において用紙上に出力される。パソコン１０５において、キーボード１０５ｂは、複数ページのうちの少なくとも一部のページを選択する手段となる。選択されたページの画像となる画像データは、ページ画像生成部２０１において画像が重なるように合成され、多重画像を形成する。多重画像は、ディスプレイ１０５ａに表示される。
【００６３】
また、ページコントローラ２０２は、ディプレイ１０５ａに表示された多重画像に加工範囲を表示する。また、表示された加工範囲を必要に応じて変更し、多重画像に含まれる各画像を、加工範囲を基準にし、一括して加工する。加工された各画像は、プリンタ１０６において個々に画像として用紙上に出力される。
【００６４】
次に、図３、図４を用い、実施の形態１の多重画像を形成するための画像データの合成、削除の処理についてより詳細に説明する。図３は、画像データの合成について説明する図である。また、図４は、多重画像の加工を説明するための図であって、加工を削除処理とした場合を例にして説明するものである。
【００６５】
ページコントローラ２０２は、入力された原稿の画像データを、１ページとして出力される画像（ページ画像）分の画像データごとにページリスト３０１に記録する。そして、オペレータが、ページ画像ａ、ページ画像ｂ、ページ画像ｃの指定を指示すると、画像処理部２００において統括的に画像処理を実行するプログラム（Ｖｉｅｗ）は、ページ画像ａ〜ページ画像ｃの画像の合成を要求する。要求にしたがって、ページコントローラ２０２は、図３に示したように、合成されるページの画像だけをページ画像生成部２０１に出力する。ページ画像生成部２０１は、ページ画像ａ〜ページ画像ｃの画像をＯＲ合成して多重画像Ａを生成し、ディスプレイ１０５ａに表示する。
【００６６】
上記した処理を、図４（ａ）〜（ｃ）でより詳細に説明する。図４（ａ）に示したように、例えば、ページ画像ａが円形とページ番号＜１＞の画像であり、ページ画像ｂが三角形とページ番号＜２＞の画像、およびページ番号＜２＞の近傍のパターンＰであり、ページ画像ｃが四角形とページ番号＜３＞の画像であるとする。各ページにおいて円形、三角形、四角形の各画像、各ページ番号はほぼ同じ位置にある。なお、図４では、各ページのページ番号を削除する処理について説明するものとする。ページ番号を削除する処理は、ページ番号を新たに付けなおす場合などになされる処理である。
【００６７】
ページ画像ａ〜ｃをＯＲ合成すると、図４（ｂ）のように、円形、三角形、四角形が重ねて表示される。また、ページ番号＜１＞、＜２＞、＜３＞も互いに重ねて表示される。ここで、オペレータが、多重画像Ａにおいて重ねて表示されたページ番号の全てが含まれる図５に示す４０１で示す加工範囲を指定し、加工範囲４０１内にある画像を削除する。この結果、図４（ｃ）のように、ページ画像ａはページ番号＜１＞が削除されたページ画像ａ’となる。また、ページ画像ｂは、ページ番号＜２＞が削除されたページ画像ｂ’となり、ページ画像ｃは、ページ番号＜３＞が削除されたページ画像ｃ’となる。
【００６８】
以上述べた処理によれば、表示された画像に対して１回の加工範囲を指定する処理を行うことによって複数のページの画像を加工することができる。このため、実施の形態１の画像処理装置は、削除されるページ数によらず削除の作業にかかる作業量を一定にすることができる。また、複数ページに形成される画像を重ねて表示することにより、オペレータが視認しながら加工範囲を設定することができる。このため、オペレータは、特別な知識や経験がなくても、簡易、かつ確実に画像が削除される範囲を設定することができる。
【００６９】
すなわち、多重画像Ａを視認しながら加工範囲を設定すれば、例えば、図４（ａ）に示したページ画像のうち、ページ画像ｂにだけパターンＰがあっても、多重画像ＡにおいてパターンＰの位置や形状を確認できる。このため、削除すべきページ番号の近くにあるパターンＰを含まないように加工範囲４０１を指定でき、ページ番号だけを確実に削除することができる。
【００７０】
次に、加工範囲の設定についてより詳細に説明する。オペレータは、図５に示したように、ディスプレイ１０５ａに表示された多重画像に対し、加工範囲４０１を指定する。加工範囲４０１の指定は、図５（ａ）に示したように、加工範囲４０１の頂点となる４点、４０１ａ，４０１ｂ，４０１ｃ，４０１ｄを指定することによって行われる。そして、いったん指定した加工範囲４０１は、頂点、あるいは加工範囲４０１を形成する線分の中点をドラッグすることによって変更できる。実施の形態１では、オペレータによる加工範囲４０１の変更を補助するため、加工範囲４０１の頂点や加工範囲４０１を形成する線分上の点の座標（加工範囲のサイズ）を表示する。
【００７１】
加工範囲４０１は、図５（ｂ）のように、着色して表示される。なお、実施の形態１では、この際、削除される多重画像が着色された色を透して視認できるように設定した。加工範囲４０１の変更後、加工の実行が決定されると、ページコントローラ２０２は、加工範囲４０１内にある多重画像を削除する。そして、多重画像における加工範囲４０１に相当する範囲が削除されたページ画像の画像データをページごとにプリンタ１０６に出力する。
【００７２】
以上の処理により、プリンタ１０６は、多重画像を構成する複数のページ画像のそれぞれを、加工範囲４０１に相当する画像が削除された状態で出力する。また、ページコントローラ２０２は、加工の決定または中止の指示が入力されると、Ｖｉｅｗの要求にしたがって加工された多重画像を破棄する。
【００７３】
次に、実施の形態１の画像処理装置の加工の他の例について、図６、図７を用いて説明する。図６は、実施の形態１において、削除処理を、加工範囲の外部にある多重画像を削除する処理とした例を説明するための図である。実施の形態１では、図６に示した加工範囲を特に枠内／外消去範囲５０１と記す。また、図７は、実施の形態１において、削除処理を、多重画像を通る二本の平行な直線に囲まれた領域を加工範囲として削除する処理としたものである。実施の形態１では、図７に示した加工範囲を特にセンター消去領域６０４と記す。
【００７４】
なお、図６、図７の加工の処理は、図５で説明した処理と同様の処理を含んでいる。以下の説明において、図５で述べた内容と同様の内容については一部説明を省くものとする。
【００７５】
図６に示した枠内／外消去範囲５０１は、枠内／外消去範囲５０１の頂点となる４点、５０１ａ，５０１ｂ，５０１ｃ，５０１ｄを指定することによって行われる。そして、いったん指定した枠内／外消去範囲５０１は、頂点、あるいは枠内／外消去範囲５０１を形成する線分の中点をドラッグすることによって変更できる。この際、枠内／外消去範囲５０１の頂点、各頂点間結ぶ線分上の点の座標（加工範囲のサイズ）が表示される。なお、外枠５０３は、多重画像のイメージの最外周線と一致していて、変更することはできない。
【００７６】
枠内／外消去範囲５０１と外枠５０３との間の領域５０２は、図５のように着色されて表示される。そして、オペレータが加工、つまり領域５０２の削除を決定すると、ページコントローラ２０２は、多重画像において着色された領域５０２を削除した各画像の画像データをプリンタ１０６に出力する。また、この後、ページ画像生成部２０１を制御して多重画像を廃棄させる。
【００７７】
以上述べた枠内／外消去範囲５０１に対する領域５０２を削除する処理は、特に、原稿において画像の周辺にある不要な部分を削除する場合に削除したい範囲を簡易に指定することができる。
【００７８】
図７に示したセンター消去領域６０４は、多重画像を通る中心線６０５（つまり中心線となる）を中心にして左右に幅ｄ1を持つ帯状の領域６０１、幅ｄ2を持つ帯状の領域６０２よりなっている。実施の形態１では、センター消去領域６０４の中心線６０５を、先ず多重画像を縦方向Ｌに二分する中心線に一致させて表示するものとした。また、この際の幅ｄ1、ｄ2を、等しいものとした。
【００７９】
センター消去領域６０４の変更は、領域６０１の縦方向Ｌに沿う外部との境界線６０３、領域６０２の縦方向Ｌに沿う外部との境界線６０６をドラッグすることによって変更できる。境界線６０３をドラッグすることによって領域６０１の幅ｄ1が変更される。また、境界線６０６をドラッグすることによって領域６０２の幅ｄ2が変更される。さらに、中心線６０５をドラッグすることによって中心線６０５の位置、つまりセンター消去領域６０４全体を移動することができる。この際、境界線６０３、境界線６０６の座標（加工範囲のサイズ）が表示される。
【００８０】
センター消去領域６０４は、図７のように着色されて表示される。そして、オペレータが加工、つまりセンター消去領域６０４の削除を決定すると、ページコントローラ２０２は、多重画像において着色されたセンター消去領域６０４を削除した各画像の画像データをプリンタ１０６に出力する。また、この後、ページ画像生成部２０１を制御して多重画像を廃棄させる。
【００８１】
以上述べたセンター消去領域６０４を削除する処理は、特に本などの見開きページをコピーして得られた画像において、ページの境界に発生する影によって生じる像を削除する際に削除すべき範囲を簡易に指定することができる。
【００８２】
図８は、実施の形態１の画像処理装置で行われる画像処理方法を説明するためのフローチャートである。図示したフローチャートは、先ず、原稿１０１の画像に基づく画像データを入力し（ステップＳ７０１）、入力した画像の一部の領域を削除する処理を行うか否か判断する（ステップＳ７０２）。この判断の結果、領域を削除する処理を実行するのであれば（ステップＳ７０２：Ｙｅｓ）、処理する範囲（加工範囲）を指定する（ステップＳ７０３）。なお、実施の形態１では、先ず、現在処理している画像に対して処理する範囲（加工範囲）を指定し、必要に応じて多重画像を表示させ、ステップＳ７０３において指定した加工範囲を変更するものとした。
【００８３】
次に、ページコントローラ２０２は、原稿１０１を複数のページにわたって編集するか否か判断する（ステップＳ７０４）。そして、複数ページにわたる編集を実行する場合には（ステップＳ７０４：Ｙｅｓ）、ページを合成して多重画像を表示し、合成の状態を確認するか否か判断する（ステップＳ７０５）。確認する場合には（ステップＳ７０５：Ｙｅｓ）、複数のページの画像をＯＲ合成すると共に合成された画像を表示する（ステップＳ７０６）。なお、ステップＳ７０２において領域の削除以外の処理を行うと判断された場合（ステップＳ７０２：Ｎｏ）には、図８のフローチャートから出て他のフローチャートで説明されるプログラムの処理が実行される。
【００８４】
また、複数ページの編集を行わないと判断された場合（ステップＳ７０４：Ｎｏ）、画像の合成状態を確認しない場合（ステップＳ７０５：Ｎｏ）には、加工範囲に指定された画像を削除する（ステップＳ７１０）。
【００８５】
ＯＲ合成により作成された多重画像は、ディスプレイ１０５ａに加工範囲と共に表示される。ページコントローラ２０２は、加工範囲として現在指定されている加工範囲を変更するか否か判断し（ステップＳ７０７）、変更の指示があった場合には（ステップＳ７０７：Ｙｅｓ）、オペレータが指定した範囲に加工範囲を変更する（ステップＳ７０８）。そして、変更後の加工範囲を削除するか否か判断（最終確認）する（ステップＳ７０９）。この判断の結果、加工範囲を削除する場合には（ステップＳ７０９：Ｙｅｓ）、多重画像に含まれる各ページ画像を一括して削除する（ステップＳ７１０）。また、実行しない場合には（ステップＳ７０９：Ｎｏ）、削除を実行することなく処理を終了する。
【００８６】
また、ステップＳ７０７の判断で、加工範囲の変更を行わないと判断した場合には（ステップＳ７０７：Ｎｏ）、加工範囲を変更することなく削除の最終確認を行う（ステップＳ７０９）。
【００８７】
なお、本発明の画像処理装置は、以上述べた実施の形態１に限定されるものではない。例えば、図１に示したシステムでは、パソコンとプリンタとが１対１に接続されているが、パソコンとプリンタとは、ネットワーク１０７を介してそれぞれ何台接続されるものであってもよい。また、パソコンとプリンタとを１対１に接続する場合には、セントロニクスやインターフェースなどを用いた接続も可能である。
【００８８】
また、以上述べた実施の形態１の画像処理装置における処理は、前述したように、ページ番号を振りなおす処理の効率を高めることに有効である。また、実施の形態１の処理は、ページ番号を一括して削除する処理に限定されるものでなく、例えば、パンチ孔やホチキスの孔によって発生する画像、ヘッダやフッタを削除する場合に適用することもできる。
【００８９】
（実施の形態２）
次に、実施の形態２の画像処理装置について説明する。ただし、実施の形態２の画像処理装置は、システム構成やシステムに組み込まれるパソコンの構成が実施の形態１の画像処理装置と同様である。このため、実施の形態２では、実施の形態１の画像処理装置と同様の構成については図示および説明を略すものとする。
【００９０】
実施の形態２の画像処理装置は、ページコントローラ２０２によってなされる加工を、加工範囲内に文字、あるいは画像（イメージ）を挿入する処理とするものである。図９は、実施の形態２の処理を説明するための図であって、ディスプレイ１０５ａに多重画像８０２と加工範囲８０１とが表示された状態を示している。また、加工範囲８０１には、社名を示すロゴマークとしての画像（イメージ）が入力されている。なお、実施の形態２では、加工範囲に挿入される画像は、メモリ２０３に予め登録しておき、必要に応じて読み出して処理に使用するものとした。
【００９１】
多重画像８０２上に表示された加工範囲８０１は、ディスプレイ１０５ａ上でドラッグすることによってサイズや形状の変更、移動が可能である。この際、オペレータは、加工範囲８０１が画像の挿入を希望する位置にあるか否か、多重画像に重なって挿入されることがないか（意図的に重ねる場合は別）否かを確認し、加工範囲８０１の位置を決定する。
【００９２】
多重画像に含まれる各ページ画像の画像データは、加工範囲８０１の位置に関するデータ、挿入される画像のデータと共にページコントローラ２０２により加工され、ページごとにプリンタ１０６に出力される。プリンタ１０６は、各ページ画像を、加工範囲８０１に画像が挿入された状態でそれぞれ用紙に出力する。この結果、用紙上には、多重画像に重ねて加工範囲８０１の範囲内にロゴマークを表す画像が挿入された画像が形成される。
【００９３】
図１０は、実施の形態２の画像処理装置で行われる画像処理方法を説明するためのフローチャートである。図示したフローチャートは、先ず、原稿１０１の画像を入力し（ステップＳ９０１）、入力した画像にさらに画像を挿入する処理を行うか否か判断する（ステップＳ９０２）。この判断の結果、領域に画像を挿入する処理を実行するのであれば（ステップＳ９０２：Ｙｅｓ）、処理する範囲（加工範囲）を指定する（ステップＳ９０３）。なお、実施の形態２では、先ず、現在処理している画像に対して処理する範囲（加工範囲）を指定し、必要に応じて多重画像を表示させ、ステップＳ９０３において指定した加工範囲を変更するものとした。
【００９４】
次に、ページコントローラ２０２は、原稿１０１を複数のページにわたって編集するか否か判断する（ステップＳ９０４）。そして、複数ページにわたる編集を実行する場合には（ステップＳ９０４：Ｙｅｓ）、ページを合成して多重画像を表示し、合成の状態を確認するか否か判断する（ステップＳ９０５）。確認する場合には（ステップＳ９０５：Ｙｅｓ）、複数のページの画像をＯＲ合成して表示する（ステップＳ９０６）。なお、ステップＳ９０２において画像の挿入以外の処理を行うと判断された場合（ステップＳ９０２：Ｎｏ）、には、図１０のフローチャートから出て他のフローチャートで説明されるプログラムの処理が実行される。
【００９５】
また、複数ページの編集を行わないと判断された場合（ステップＳ９０４：Ｎｏ）、画像の合成状態を確認しない場合（ステップＳ９０５：Ｎｏ）には、加工範囲に指定された領域に画像を挿入する（ステップＳ９１０）。
【００９６】
ＯＲ合成により作成された多重画像は、ディスプレイ１０５ａに加工範囲と共に表示される。ページコントローラ２０２は、加工範囲として現在指定されている加工範囲を変更するか否か判断し（ステップＳ９０７）、変更する指示があった場合には（ステップＳ９０７：Ｙｅｓ）、オペレータが指定した範囲に加工範囲を変更する（ステップＳ９０８）。この際、オペレータは、指定した範囲が画像の挿入に適切か否か、特に多重画像と挿入される画像とが重なることがないか確認しながら範囲を変更する。そして、変更後の加工範囲に画像を挿入するか否か判断（最終確認）する（ステップＳ９０９）。この判断の結果、加工範囲に画像を挿入する場合には（ステップＳ９０９：Ｙｅｓ）、多重画像に含まれる各ページ画像に一括して画像を挿入する（ステップＳ９１０）。また、実行しない場合には（ステップＳ９０９：Ｎｏ）、挿入を実行することなく処理を終了する。
【００９７】
また、ステップＳ９０７の判断で、加工範囲の変更を行わないと判断した場合には（ステップＳ９０７：Ｎｏ）、加工範囲を変更することなく画像挿入処理の最終確認を行う（ステップＳ９０９）。
【００９８】
以上述べた実施の形態２によれば、表示された画像に対して１回の加工範囲を指定する処理を行うことによって複数のページの画像にロゴマークなどの画像を挿入することができる。このため、実施の形態２の画像処理装置は、画像が挿入されるページ数によらず画像挿入の作業にかかる作業量を一定にすることができる。また、複数ページに形成される画像を重ねて表示することにより、オペレータが視認しながら加工範囲を設定することができる。このため、オペレータは、特別な知識や経験がなくても、簡易、かつ確実に適切な位置に画像を挿入することができる。
【００９９】
なお、本発明は、以上述べた実施の形態２に限定されるものではない。すなわち、図９に示した例では、ページ画像に共通して社名を挿入する例を示したが、本発明はこのような例に限定されるものでなく、例えば丸秘マークやコピー禁止といった複数のページに共通して挿入されるイメージの画像であればどのような画像にも適用できる。
【０１００】
また、実施の形態２は、メモリ２０３に登録された画像を挿入する例について述べているが、本発明はこのような例に限定されるものでなく、例えば挿入したい画像を逐次読み込み、各ページ画像に挿入することもできる。
【０１０１】
さらに、実施の形態２では、加工範囲に画像を挿入する例についてのみ述べた。しかし、本発明の画像処理装置は、同様にして文字を挿入することができる。文字を挿入する場合、本発明の画像処理装置は、例えばパソコン１０５のキーボード１０５ｂから入力した文字を挿入することが可能である。
【０１０２】
（実施の形態３）
次に、実施の形態３の画像処理装置について説明する。ただし、実施の形態３の画像処理装置は、システム構成やシステムに組み込まれるパソコンの構成が実施の形態１、２の画像処理装置と同様である。このため、実施の形態３では実施の形態１の画像処理装置と同様の構成については図示および説明を略すものとする。
【０１０３】
実施の形態３の画像処理装置は、ページコントローラ２０２によってなされる加工を、多重画像において加工範囲内にある画像の位置を調整する位置調整処理としたものである。図１１は、位置調整処理を説明するための図であって、ディスプレイ１０５ａに多重画像１００３と加工範囲１００１とが表示された状態を示している。多重画像１００３上に表示された加工範囲１００１は、ディスプレイ１０５ａ上でドラッグすることによって移動することが可能である。この際、オペレータは、加工範囲１００１が他の画像と重ならないか確認し、加工範囲１００１の範囲内にある画像が意図しない他の画像と重なるときには加工範囲１００１内にある画像を加工範囲１００２に移動して画像の位置を調整する。
【０１０４】
このとき、ページコントローラ２０２は、加工範囲１００１にある画像を多重画像に含まれる各ページ画像において一括して加工範囲１００２に移動する。そして、各ページ画像の画像データを、ページごとにプリンタ１０６に出力する。プリンタ１０６は、各画像ページの画像データに基づいて画像を形成して用紙に出力する。この結果、用紙上には、各ページ画像がオペレータの意図するとおりに配置された画像が形成される。
【０１０５】
図１２は、実施の形態３の画像処理装置で行われる画像処理方法を説明するためのフローチャートである。図示したフローチャートは、先ず、原稿１０１の画像を入力し（ステップＳ１１０１）、入力した画像を移動する処理を行うか否か判断する（ステップＳ１１０２）。この判断の結果、領域を移動する処理を実行するのであれば（ステップＳ１１０２：Ｙｅｓ）、処理する範囲（加工範囲）を指定する（ステップＳ１１０３）。なお、実施の形態３では、先ず、現在処理している画像に対して処理する範囲（加工範囲）を指定し、必要に応じて多重画像を表示させ、ステップＳ１１０３において指定した加工範囲を変更するものとした。
【０１０６】
次に、ページコントローラ２０２は、原稿１０１を複数のページにわたって編集するか否か判断する（ステップＳ１１０４）。そして、複数ページにわたる編集を実行する場合には（ステップＳ１１０４：Ｙｅｓ）、ページを合成し、合成されたページの状態を確認するか否か判断する（ステップＳ１１０５）。確認する場合には（ステップＳ１１０５：Ｙｅｓ）、複数のページの画像をＯＲ合成して表示する（ステップＳ１１０６）。なお、ステップＳ１１０２において領域の移動以外の処理を行うと判断された場合（ステップＳ１１０２：Ｎｏ）には、図１２のフローチャートから出て他のフローチャートで説明されるプログラムの処理が実行される。
【０１０７】
また、複数ページの編集を行わないと判断された場合（ステップＳ１１０４：Ｎｏ）、画像の合成状態を確認しない場合（ステップＳ１１０５：Ｎｏ）には、加工範囲に指定された画像を移動する（ステップＳ１１１０）。
【０１０８】
ＯＲ合成により作成された多重画像は、ディスプレイ１０５ａに加工範囲と共に表示される。ページコントローラ２０２は、加工範囲として現在指定されている加工範囲を変更するか否か判断し（ステップＳ１１０７）、変更の指示がある場合には（ステップＳ１１０７：Ｙｅｓ）、オペレータが指定した範囲に加工範囲を変更する（ステップＳ１１０８）。この際、オペレータは、多重画像において画像が意図しない状態で重なることがないか確認しながら範囲を変更する。そして、変更後の加工範囲に画像を移動するか否か判断（最終確認）する（ステップＳ１１０９）。この判断の結果、画像の位置を移動する場合には（ステップＳ１１０９：Ｙｅｓ）、多重画像に含まれる各ページ画像において一括して移動を実行する。また、実行しない場合には（ステップＳ１１０９：Ｎｏ）、位置移動を実行することなく処理を終了する。
【０１０９】
また、ステップＳ１１０７の判断で、加工範囲の変更を行わないと判断した場合には（ステップＳ１１０７：Ｎｏ）、加工範囲を変更することなく画像の配置を調整する処理の最終確認を行う（ステップＳ１１０９）。
【０１１０】
以上述べた実施の形態３によれば、表示された画像に対して１回の加工範囲を指定する処理を行うことによって複数のページの画像において画像を移動することができる。このため、実施の形態３の画像処理装置は、画像の移動処理を実行するページ数によらず移動の作業にかかる作業量を一定にすることができる。また、複数ページに形成される画像を重ねて表示することにより、オペレータが視認しながら加工範囲を設定することができる。このため、オペレータは、特別な知識や経験がなくても、簡易、かつ確実に適切な位置に画像を移動することができる。
【０１１１】
（実施の形態４）
次に、実施の形態４の画像処理装置について説明する。ただし、実施の形態４の画像処理装置は、システム構成やシステムに組み込まれるパソコンの構成が実施の形態１、２、３の画像処理装置と同様である。このため、実施の形態４では、実施の形態１の画像処理装置と同様の構成については図示および説明を略すものとする。
【０１１２】
実施の形態４の画像処理装置は、前述した構成によって選択されたページの画像を重ねて形成される多重画像に用紙の範囲を重ねて表示する。そして、表示された用紙範囲に合わせて各ページの画像が形成される用紙サイズを設定するサイズ変更処理を行うものである。なお、実施の形態４では、多重画像と用紙の範囲とをディスプレイ１０５ａに表示するものとし、パソコン１０５において用紙の範囲を変更することが可能である。
【０１１３】
図１３（ａ）、（ｂ）は、サイズ変更処理を説明するための図であって、ディスプレイ１０５ａに多重画像１２０２と用紙サイズ１２０１とを重ねて表示した状態を示している。図示した多重画像１２０２は、用紙サイズ１２０１の範囲外に表示される画像１２０３を含んでいる。
【０１１４】
多重画像１２０２に用紙サイズ１２０１の範囲外に出る画像１２０３がある場合、オペレータは、ディスプレイ１０５ａ上で用紙サイズ１２０１をドラッグすることによってサイズの変更が可能である。この際、オペレータは、多重画像の全てが用紙サイズ１２０１に含まれることを確認する。そして、多重画像１２０２の画像１２０３が用紙サイズ１２０１の外部に出てしまうと判断したとき、用紙サイズ１２０１を用紙サイズ１２０１’のように広げることによって多重画像１２０２が出力される用紙のサイズを大きく設定することができる。
【０１１５】
多重画像の画像１２０２に含まれる各ページ画像の画像データは、用紙サイズ１２０１（１２０１’）に関するデータと共にプリンタ１０６に出力される。プリンタ１０６は、各ページ画像の画像データに基づいて画像を、用紙サイズ１２０１の用紙を選択し、選択された用紙に画像を形成する。この結果、多重画像は、画像に対して適正なサイズの用紙に形成される。
【０１１６】
なお、用紙のサイズは、図示しないメモリにあらかじめ登録されている規定のサイズから選択するものであってもよい。また、用紙の幅や高さを数値として入力するものであってもよい。さらに、規定のサイズは、サイズ登録のモードで追加登録することが可能である。また、サイズ変更後の画像の解像度は、変化しないものとする。
【０１１７】
図１４は、実施の形態４の画像処理装置で行われる画像処理方法を説明するためのフローチャートである。図示したフローチャートは、先ず、原稿１０１の画像を入力し（ステップＳ１３０１）、入力した画像の用紙のサイズを変更する処理を行うか否か判断する（ステップＳ１３０２）。この判断の結果、用紙のサイズを変更する処理を実行するのであれば（ステップＳ１３０２：Ｙｅｓ）、現在処理しているページの用紙サイズを指定する（ステップＳ１３０３）。
【０１１８】
次に、ページコントローラ２０２は、原稿１０１を複数のページにわたって編集するか否か判断する（ステップＳ１３０４）。そして、複数ページにわたる編集を実行する場合には（ステップＳ１３０４：Ｙｅｓ）、ページを合成して多重画像を表示し、合成されたページの状態を確認するか否か判断する（ステップＳ１３０５）。確認する場合には（ステップＳ１３０５：Ｙｅｓ）、複数のページの画像をＯＲ合成して表示する（ステップＳ１３０６）。なお、ステップＳ１３０２において用紙のサイズの変更以外の処理を行うと判断された場合（ステップＳ１３０２：Ｎｏ）には、図１４のフローチャートから出て他のフローチャートで説明されるプログラムの処理が実行される。
【０１１９】
また、複数ページの編集を行わないと判断された場合（ステップＳ１３０４：Ｎｏ）、画像の合成状態を確認しない場合（ステップＳ１３０５：Ｎｏ）には、用紙のサイズを直ちに変更する（ステップＳ１３１０）。
【０１２０】
ＯＲ合成により作成された多重画像は、ディスプレイ１０５ａに用紙サイズと共に表示される。ページコントローラ２０２は、用紙サイズとして現在指定されているサイズを変更するか否か判断し（ステップＳ１３０７）、変更の指示があった場合には（ステップＳ１３０７：Ｙｅｓ）、オペレータが変更したサイズに用紙サイズを変更する（ステップＳ１３０８）。この際、オペレータは、用紙のサイズが多重画像を出力するのに適切か否か、特に用紙のサイズが小さくて出力される多重画像が欠落することがないか確認しながらサイズを変更する。
【０１２１】
そして、ページコントローラ２０２は、変更したサイズの用紙に多重画像に含まれるページ画像を出力するか否か判断（最終確認）する（ステップＳ１３０９）。この判断の結果、用紙のサイズを変更する場合には（ステップＳ１３０９：Ｙｅｓ）、ページ画像のすべてについて用紙のサイズの変更を実行する。また、実行しない場合には（ステップＳ１３０９：Ｎｏ）、用紙サイズの変更を実行することなく処理を終了する。
【０１２２】
また、ステップＳ１３０７の判断で、加工範囲の変更を行わないと判断した場合には（ステップＳ１３０７：Ｎｏ）、用紙サイズ１２０１を変更することなく用紙サイズ変更の最終確認を行う（ステップＳ１３０９）。
【０１２３】
なお、以上述べた実施の形態１〜４の画像処理方法は、あらかじめ用意されたプログラムをコンピュータで実行することにより実現される。このプログラムは、ハードディスク、フロッピーディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、上記記録媒体を介して、また伝送媒体として、インターネット等のネットワーク１０７を介して配布することができる。
【０１２４】
以上述べた実施の形態４によれば、表示された画像に対して１回用紙サイズを指定する処理を行うことによって複数のページの用紙のサイズを変更することができる。このため、実施の形態４の画像処理装置は、用紙サイズを指定するページ数によらず移動の作業にかかる作業量を一定にすることができる。また、複数ページに形成される画像を重ねて表示することにより、オペレータが視認しながら加工範囲を設定することができる。このため、オペレータは、特別な知識や経験がなくても、簡易、かつ確実に適切な位置に画像を移動することができる。
【０１２５】
また、本発明は、以上述べた実施の形態１〜４に限定されるものではない。例えば、上記した実施の形態では、いずれもＯＲ合成によってページ画像を合成して多重画像を形成している。しかし、合成の方法は、ＯＲ合成に限定されるものでなく、例えばＡＮＤ合成、あるいはＥＸＯＲ合成といった方法によってなされるものであってもよい。また、画像が重なって表示される合成方法であれば、他のどのような合成方法を用いるものであってもよい。
【０１２６】
【発明の効果】
以上説明したように、請求項１に記載の発明は、選択したページの画像を重ね、各画像における加工範囲を同時に加工することができる。このため、原稿のページ数によらず、短時間で画像を加工でき、処理の効率を高められる画像処理装置を提供することができるという効果を奏する。また、画像と加工範囲との関係を見ながら画像の加工状況の確認ができる。このため、特に知識や経験がなくても確実に画像を加工できる画像処理装置を提供することができるという効果を奏する。
【０１２７】
請求項２に記載の発明は、選択したページの画像を重ね、各画像における加工範囲にある画像を同時に削除することができる。このため、原稿のページ数によらず、短時間で画像の削除処理ができ、削除処理の効率を高められる画像処理装置を提供することができるという効果を奏する。また、画像と加工範囲との関係を見ながら画像の加工状況の確認ができる。このため、特に知識や経験がなくても確実に画像を削除できる画像処理装置を提供することができるという効果を奏する。
【０１２８】
請求項３に記載の発明は、選択したページの画像を重ね、各画像における加工範囲の外部にある画像を同時に削除することができる。このため、原稿のページ数によらず、短時間で画像の加工範囲外部の削除処理ができ、加工範囲外部の削除処理の効率を高められる画像処理装置を提供することができるという効果を奏する。また、画像と加工範囲との関係を見ながら画像の加工状況の確認ができる。このため、特に知識や経験がなくても確実に加工範囲外部にある画像を削除できる画像処理装置を提供することができるという効果を奏する。
【０１２９】
請求項４に記載の発明は、選択したページの画像を重ねた多重画像を通る二本の平行な直線に囲まれた領域にある画像を同時に削除することができる。このため、原稿のページ数によらず、短時間で画像を帯状に削除処理することができ、帯状に画像を削除する削除処理の効率を高められる画像処理装置を提供することができるという効果を奏する。また、画像と加工範囲との関係を見ながら画像の加工状況の確認ができる。このため、特に知識や経験がなくても確実に画像を帯状に削除できる画像処理装置を提供することができるという効果を奏する。
【０１３０】
請求項５に記載の発明は、選択したページの画像を重ね、各画像における加工範囲に同時に文字を挿入することができる。このため、原稿のページ数によらず、短時間で画像に文字を挿入でき、文字挿入処理の効率を高められる画像処理装置を提供することができるという効果を奏する。また、画像と加工範囲との関係を見ながら文字の挿入状況の確認ができる。このため、特に知識や経験がなくても確実に画像の適切な位置に文字を挿入できる画像処理装置を提供することができるという効果を奏する。
【０１３１】
請求項６に記載の発明は、選択したページの画像を重ね、各画像における加工範囲に同時に画像を挿入することができる。このため、原稿のページ数によらず、短時間で画像にさらに画像を挿入でき、画像挿入処理の効率を高められる画像処理装置を提供することができるという効果を奏する。また、画像と加工範囲との関係を見ながら画像の挿入状況の確認ができる。このため、特に知識や経験がなくても確実に画像の適切な位置にさらに画像を挿入できる画像処理装置を提供することができるという効果を奏する。
【０１３２】
請求項７に記載の発明は、挿入される画像を予め登録しておくことができる。このため、挿入される画像を逐次から入力する、あるいは作成する作業を省くことができ、いっそう画像挿入処理の効率を高めることができる。
【０１３３】
請求項８に記載の発明は、選択したページの画像を重ね、各画像における加工範囲にある画像の位置を同時に調整することができる。このため、原稿のページ数によらず、短時間で画像の位置を調整でき、位置調整処理の効率を高められる画像処理装置を提供することができるという効果を奏する。また、画像と加工範囲との関係を見ながら画像の位置を確認ができる。このため、特に知識や経験がなくても確実に画像を適切な位置に配置できる画像処理装置を提供することができるという効果を奏する。
【０１３５】
請求項９に記載の発明は、選択したページの画像を重ね、各画像における加工範囲を同時に加工することができる。このため、原稿のページ数によらず、短時間で画像を加工でき、処理の効率を高められる画像処理方法を提供することができるという効果を奏する。また、画像と加工範囲との関係を見ながら画像の加工状況の確認ができる。このため、特に知識や経験がなくても確実に画像を加工できる画像処理方法を提供することができるという効果を奏する。
【０１３６】
請求項１０に記載の発明は、選択したページの画像を重ね、各画像における加工範囲にある画像を同時に削除することができる。このため、原稿のページ数によらず、短時間で画像の削除処理ができ、削除処理の効率を高められる画像処理方法を提供することができるという効果を奏する。また、画像と加工範囲との関係を見ながら画像の加工状況の確認ができる。このため、特に知識や経験がなくても確実に画像を削除できる画像処理方法を提供することができるという効果を奏する。
【０１３７】
請求項１１に記載の発明は、選択したページの画像を重ね、各画像における加工範囲の外部にある画像を同時に削除することができる。このため、原稿のページ数によらず、短時間で画像の加工範囲外部の削除処理ができ、加工範囲外部の削除処理の効率を高められる画像処理方法を提供することができるという効果を奏する。また、画像と加工範囲との関係を見ながら画像の加工状況の確認ができる。このため、特に知識や経験がなくても確実に加工範囲外部にある画像を削除できる画像処理方法を提供することができるという効果を奏する。
【０１３８】
請求項１２に記載の発明は、選択したページの画像を重ねた多重画像を通る二本の平行な直線に囲まれた領域にある画像を同時に削除することができる。このため、原稿のページ数によらず、短時間で画像を帯状に削除処理することができ、帯状に画像を削除する削除処理の効率を高められる画像処理方法を提供することができるという効果を奏する。また、画像と加工範囲との関係を見ながら画像の加工状況の確認ができる。このため、特に知識や経験がなくても確実に画像を帯状に削除できる画像処理方法を提供することができるという効果を奏する。
【０１３９】
請求項１３に記載の発明は、選択したページの画像を重ね、各画像における加工範囲に同時に文字を挿入することができる。このため、原稿のページ数によらず、短時間で画像に文字を挿入でき、文字挿入処理の効率を高められる画像処理方法を提供することができるという効果を奏する。また、画像と加工範囲との関係を見ながら文字の挿入状況の確認ができる。このため、特に知識や経験がなくても確実に画像の適切な位置に文字を挿入できる画像処理方法を提供することができるという効果を奏する。
【０１４０】
請求項１４に記載の発明は、選択したページの画像を重ね、各画像における加工範囲に同時に画像を挿入することができる。このため、原稿のページ数によらず、短時間で画像にさらに画像を挿入でき、画像挿入処理の効率を高められる画像処理装置を提供することができるという効果を奏する。また、画像と加工範囲との関係を見ながら画像の挿入状況の確認ができる。このため、特に知識や経験がなくても確実に画像の適切な位置にさらに画像を挿入できる画像処理装置を提供することができるという効果を奏する。
【０１４１】
請求項１５に記載の発明は、挿入される画像を予め登録しておくことができる。このため、挿入される画像を逐次から入力する、あるいは作成する作業を省くことができ、いっそう画像挿入処理の効率を高めることができる。
【０１４３】
請求項１６に記載の発明は、選択したページの画像を重ね、各画像における加工範囲にある画像の位置を同時に調整することができる。このため、原稿のページ数によらず、短時間で画像の位置を調整でき、位置調整処理の効率を高められる画像処理方法を提供することができるという効果を奏する。また、画像と加工範囲との関係を見ながら画像の位置を確認ができる。このため、特に知識や経験がなくても確実に画像を適切な位置に配置できる画像処理方法を提供することができるという効果を奏する。
【０１４５】
請求項１７に記載の発明は、選択したページの画像を重ね、各画像における加工範囲を同時に加工することができる。このため、原稿のページ数によらず、短時間で画像を加工でき、処理の効率を高められるコンピュータ読み取り可能な記録媒体を提供することができるという効果を奏する。また、画像と加工範囲との関係を見ながら画像の加工状況の確認ができる。このため、特に知識や経験がなくても確実に画像を加工できるコンピュータ読み取り可能な記録媒体を提供することができるという効果を奏する。
【０１４６】
請求項１８に記載の発明は、選択したページの画像を重ね、各画像における加工範囲にある画像を同時に削除することができる。このため、原稿のページ数によらず、短時間で画像の削除処理ができ、削除処理の効率を高められるコンピュータ読み取り可能な記録媒体を提供することができるという効果を奏する。また、画像と加工範囲との関係を見ながら画像の加工状況の確認ができる。このため、特に知識や経験がなくても確実に画像を削除できるコンピュータ読み取り可能な記録媒体を提供することができるという効果を奏する。
【０１４７】
請求項１９に記載の発明は、選択したページの画像を重ね、各画像における加工範囲の外部にある画像を同時に削除することができる。このため、原稿のページ数によらず、短時間で画像の加工範囲外部の削除処理ができ、加工範囲外部の削除処理の効率を高められるコンピュータ読み取り可能な記録媒体を提供することができるという効果を奏する。また、画像と加工範囲との関係を見ながら画像の加工状況の確認ができる。このため、特に知識や経験がなくても確実に加工範囲外部にある画像を削除できるコンピュータ読み取り可能な記録媒体を提供することができるという効果を奏する。
【０１４８】
請求項２０に記載の発明は、選択したページの画像を重ねた多重画像を通る二本の平行な直線に囲まれた領域にある各画像を同時に削除することができる。このため、原稿のページ数によらず、短時間で画像を帯状に削除処理することができ、帯状に画像を削除する削除処理の効率を高められるコンピュータ読み取り可能な記録媒体を提供することができるという効果を奏する。また、画像と加工範囲との関係を見ながら画像の加工状況の確認ができる。このため、特に知識や経験がなくても確実に画像を帯状に削除できるコンピュータ読み取り可能な記録媒体を提供することができるという効果を奏する。
【０１４９】
請求項２１に記載の発明は、選択したページの画像を重ね、各画像における加工範囲に同時に文字を挿入することができる。このため、原稿のページ数によらず、短時間で画像に文字を挿入でき、文字挿入処理の効率を高められるコンピュータ読み取り可能な記録媒体を提供することができるという効果を奏する。また、画像と加工範囲との関係を見ながら文字の挿入状況の確認ができる。このため、特に知識や経験がなくても確実に画像の適切な位置に文字を挿入できるコンピュータ読み取り可能な記録媒体を提供することができるという効果を奏する。
【０１５０】
請求項２２に記載の発明は、選択したページの画像を重ね、各画像における加工範囲に同時に画像を挿入することができる。このため、原稿のページ数によらず、短時間で画像にさらに画像を挿入でき、画像挿入処理の効率を高められる画像処理装置を提供することができるという効果を奏する。また、画像と加工範囲との関係を見ながら画像の挿入状況の確認ができる。このため、特に知識や経験がなくても確実に画像の適切な位置にさらに画像を挿入できる画像処理装置を提供することができるという効果を奏する。
【０１５１】
請求項２３に記載の発明は、挿入される画像を予め登録しておくことができる。このため、挿入される画像を逐次から入力する、あるいは作成する作業を省くことができ、いっそう画像挿入処理の効率を高めることができる。
【０１５２】
請求項２４に記載の発明は、選択したページの画像を重ね、各画像における加工範囲にある画像の位置を同時に調整することができる。このため、原稿のページ数によらず、短時間で画像の位置を調整でき、位置調整処理の効率を高められるコンピュータ読み取り可能な記録媒体を提供することができるという効果を奏する。また、画像と加工範囲との関係を見ながら画像の位置を確認ができる。このため、特に知識や経験がなくても確実に画像を適切な位置に配置できるコンピュータ読み取り可能な記録媒体を提供することができるという効果を奏する。
【図面の簡単な説明】
【図１】本発明の実施の形態１〜４に共通のシステムを説明するための図である。
【図２】図１に示したパソコンの本発明の実施の形態１〜４の処理にかかる構成を説明するための図である。
【図３】本発明の実施の形態１〜４に共通の画像の合成について説明する図である。
【図４】実施の形態１の多重画像の加工を説明するための図である。
【図５】実施の形態１の加工範囲の設定を説明するための図である。
【図６】実施の形態１において、削除処理を、枠内／外消去範囲を削除する処理とした例を説明するための図である。
【図７】実施の形態１において、削除処理を、センター消去範囲を削除する処理とした例を説明するものである。
【図８】実施の形態１の画像処理装置で行われる画像処理方法を説明するためのフローチャートである。
【図９】本発明の実施の形態２の文字挿入処理を説明するための図である。
【図１０】実施の形態１の画像処理装置で行われる画像処理方法を説明するためのフローチャートである。
【図１１】本発明の実施の形態３の位置調整処理を説明するための図である。
【図１２】実施の形態３の画像処理装置で行われる画像処理方法を説明するためのフローチャートである。
【図１３】本発明の実施の形態４のサイズ変更処理を説明するための図である。
【図１４】実施の形態４の画像処理装置で行われる画像処理方法を説明するためのフローチャートである。
【符号の説明】
１０１  原稿
１０４  スキャナ
１０５  パソコン
１０５ｂ  キーボード
１０５ａ  ディスプレイ
１０６  プリンタ
２００  画像処理部
２０１  ページ画像生成部
２０２  ページコントローラ
３０１  ページリスト
【図１】
0003878408.tif 000002
【図２】
0003878408.tif 000003
【図３】
0003878408.tif 000004
【図４】
0003878408.tif 000005
【図５】
0003878408.tif 000006
【図６】
0003878408.tif 000007
【図７】
0003878408.tif 000008
【図８】
0003878408.tif 000009
【図９】
0003878408.tif 000010
【図１０】
0003878408.tif 000011
【図１１】
0003878408.tif 000012
【図１２】
0003878408.tif 000013
【図１３】
0003878408.tif 000014
【図１４】
0003878408.tif 000015